(57)【特許請求の範囲】
【請求項１】
メータケース本体内にメータ構成部品を嵌め込み固定するための複数の筒状嵌合部を備える流量メータ用メータケースにおいて、
前記複数の筒状嵌合部のうちの少なくとも一ヵ所は、内周壁に塗装が施され、かつ、下方位置で拡がる拡径部との連接部分が湾曲面から構成されていることを特徴とする流量メータ用メータケース。
【請求項２】
請求項１において、前記連接部分は、下方寄りに位置する部分に、前記筒状嵌合部に塗料を塗布したときにそこから垂れてくる塗料を溜める液溜め用凹部を備えていることを特徴とする流量メータ用メータケース。
【発明の詳細な説明】
【０００１】
【発明の属する技術分野】
本発明は、水道水の流量などを計測するための流量メータのメータケースに関するものである。さらに詳しくは、メータケース本体内にメータ構成部品を嵌め合い固定するための筒状嵌合部の周辺部分の構造に関するものである。
【０００２】
【従来の技術】
水道水の流量などを計測するための流量メータに用いられるメータケースは、流路が区画形成された下ケースをメータケース本体とし、その内部に対して内ケースなどのメータ構成部品を組み込んだ構造になっている。ここで、メータ構成部品は、メータケース本体に筒状に構成された筒状嵌合部に嵌め合い固定されることが多い。このような筒状嵌合部では、図３（ａ）に示すように、下方位置に拡径部１５が連接していることが多く、このような場合に、筒状嵌合部１４と拡径部１５との連接部分１８には約９０°の角部分１９が構成されることになる。また、図３（ｂ）に示すように、筒状嵌合部１４と拡径部１５との連接部分１８に平坦部分１９０を形成する場合もあるが、このような場合でも連接部分１８には、鈍角ではあるが角部分１９１、１９２が二ヵ所形成されることになる。
【０００３】
【発明が解決しようとする課題】
しかしながら、図３（ａ）、（ｂ）に示すいずれのメータケースにおいても、筒状嵌合部１４に対して錆止め用などの塗料３０を塗布すると、塗料３０が筒状嵌合部１４から連接部分１８にまで垂れてきて角部分１９、１９１で溜まる。このようにして溜まった塗料３０が固化すると、筒状嵌合部１４から張り出す突起３１が形成されてしまい、そこにケース構成部品を嵌めようとしても、突起３１が邪魔でケース構成部品を嵌めることができないという不具合が発生する。また、突起３１を押しつぶすようにしてケース構成部品を無理に嵌め込むと隙間ができ、そこから液漏れが発生するなどという不具合が発生する。
【０００４】
そこで、本発明の課題は、以上の問題点を解決することにあり、下方位置に拡径部が連接するような筒状嵌合部に対して塗装を施す場合でも、筒状嵌合部から垂れてきた塗料が筒状嵌合部へのメータ構成部品の嵌合を妨げることのない流量メータ用メータケースを提供することにある。
【０００５】
【課題を解決するための手段】
上記の課題を解決するために、本発明では、メータケース本体内にメータ構成部品を嵌め込み固定するための複数の筒状嵌合部を備える流量メータ用メータケースにおいて、前記複数の筒状嵌合部のうちの少なくとも一ヵ所は、内周壁に塗装が施され、かつ、下方位置で拡がる拡径部との連接部分が湾曲面から構成されていることを特徴とする。
【０００６】
本発明では、筒状嵌合部と拡径部との連接部分が湾曲しているため、筒状嵌合部に対して錆止め用などの塗料を塗布したとき、塗料が筒状嵌合部から連接部分にまで垂れてきてもそこで溜まらずに湾曲面を伝って拡径部の方に流れていく。従って、筒状嵌合部や連接部分には塗料を均一に塗布することができるので、筒状嵌合部や連接部分には、塗料が固化した後に突起が形成されない。すなわち、筒状嵌合部や連接部分の内径寸法を狂わすことなく、塗装を施すことができるので、塗装後も、筒状嵌合部にメータ構成部品を無理なく、また隙間なく嵌めることができる。
【０００７】
本発明において、前記連接部分は、下方寄りに位置する部分に、前記筒状嵌合部に塗料を塗布したときにそこから垂れてくる塗料を溜める液溜め用凹部を備えていることが好ましい。このように構成すると、筒状嵌合部から連接部分にまで垂れてきても拡径部の方に流れきらない塗料は、液溜め用凹部に溜まる。従って、筒状嵌合部や連接部分には、塗料が固化した後に突起が形成されることをより確実に防止できる。
【０００８】
【発明の実施の形態】
以下に図面を参照して本発明の実施の形態を説明する。
【０００９】
（メータケースの全体構成）
図１（ａ）は、本発明を適用した流量メータのメータケースの下ケースを示す縦断面図である。
【００１０】
この図に示すように、流量メータ１において、メータケース２の本体に相当する鋳物製の下ケース１０（メータケース本体）は、流入口１１および流出口１２を備え、内部には流体の流路が区画形成されている。メータケース２は、以下に説明するように、下ケース１０の内部に各種のメータ構成部品を嵌め合い固定するための複数の筒状嵌合部１３１、１４を備える構造になっている。
【００１１】
すなわち、下ケース１０の内部では、流路を形成する仕切り部１３がせり出しており、この仕切り部１３には、円形孔からなる筒状嵌合部１３１が形成されている。また、筒状嵌合部１３１に対してその真上位置で対峙するように、下ケース１０の上端部分には筒状嵌合部１４が形成されている。これらの筒状嵌合部１３１、１４はいずれも、二点鎖線で示すように、流体に渦流を発生させるための整流器ケース２５の下端部２２や羽根車を備えた計量室を区画形成する内ケース２０（メータ構成部品）の上端部２１をそれぞれ嵌め込み固定する部分である。従って、筒状嵌合部１３１、１４はいずれも、そこに整流器ケース２５の下端部２２や内ケース２０の上端部２１をそれぞれ嵌め込み可能なような内径寸法に設定されている。
【００１２】
なお、下ケース１０に対しては、整流器ケース２５や内ケース２０を組み込んだ後、筒状嵌合部１４を利用して受圧ケースなどが組み込まれた後、それらを覆うように上ケースが被せられるが、これらの構造は従来からあるメータケースと同様であるため、説明を省略する。
【００１３】
（筒状嵌合部の構成）
このように構成したメータケース２において、下ケース１０の内周面には錆止め用の塗装が施される。但し、塗装によって筒状嵌合部１３１、１４の内径寸法が狂うと、そこに整流器ケース２５や内ケース２０を嵌め込めなくなる。そこで、２つの筒状嵌合部１３１、１４のうち、筒状嵌合部１３１については予め内径を大きめに設定しておく一方、筒状嵌合部１４ではそこに内ケース２０の上端部２１を嵌め込んだ状態で隙間が発生しないように、筒状嵌合部１４の内周面１４１に機械加工を施して所定の内径寸法に設定してある。
【００１４】
従って、筒状嵌合部１４では、塗装によって内径寸法に狂いが生じると、内ケース２０の上端部２１を嵌め込むことができず、また、塗膜に凹凸があると、それによって生じた隙間から水漏れが発生するという問題がある。そこで、本発明では、筒状嵌合部１４およびその周辺部分を以下のように構成してある。
【００１５】
図１（ｂ）は、図１（ａ）に示すＡ部における筒状嵌合部１４およびその周辺部分を拡大して示す断面図である。
【００１６】
この図に示すように、筒状嵌合部１４の下側には、それよりも内径の大きな拡径部１５が構成されていることから、筒状嵌合部１４と拡径部１５との連接部分１６は屈曲している。但し、連接部分１６は、筒状嵌合部１４から拡径部１５に至るまで連続して曲率が変化するような湾曲した面として構成され、角部分がない。また、連接部分１６の湾曲面１６０においてその下側寄りに位置する部分には、後述するように、筒状嵌合部１４の内周壁１４１に塗料３０を塗布したときにそこから垂れてくる塗料３０が溜まる液溜め用凹部１６１が形成されている。これらの構造は、筒状嵌合部１４や連接部分１６の一部でなく、内周壁全体にわたって採用されている。
【００１７】
このように構成した下ケース１０内に塗装を施す際に、筒状嵌合部１４の内周壁１４１に液状の塗料３０を塗布すると、筒状嵌合部１４の内周壁１４１は垂直に立ち上がっていることから、この内周壁１４１からは塗料３０が垂れてくるのを避けることができない。それでも、本形態では、筒状嵌合部１４と拡径部１５との連接部分１６が湾曲面１６０で構成されているため、塗料３０が筒状嵌合部１４から連接部分１６にまで垂れてきてもそこで溜まらずに湾曲面１６０を伝って拡径部１５の方に流れていく。従って、筒状嵌合部１４や連接部分１６には塗料３０を均一に塗布することができるので、塗料３０が固化した後に筒状嵌合部１４や連接部分１６には突起が形成されない。また、連接部分１６は、湾曲面１６０の下方寄りに位置する部分に液溜め用凹部１６１を備えているため、筒状嵌合部１４から連接部分１６にまで垂れてきても拡径部１５の方に流れきらない塗料３０は液溜め用凹部１６１に溜まる。従って、筒状嵌合部１４や連接部分１６には、塗料３０が固化した後に突起が形成されることをより確実に防止できる。すなわち、筒状嵌合部１４や連接部分１６の内径寸法を狂わすことなく、塗装を施すことができるので、塗装後も、筒状嵌合部１４に内ケース２０の上端部２１を無理なく、また隙間なく嵌めることができる。
【００１８】
（別の実施の形態）
図２は、別の実施の形態における筒状嵌合部１４およびその周辺部分を拡大して示す断面図である。
【００１９】
この図に示す形態では、上記形態と同様、筒状嵌合部１４の下側には、それよりも内径の大きな拡径部１５が構成されていることから、筒状嵌合部１４と拡径部１５との連接部分１６は屈曲しているが、この連接部分１６は湾曲面１６０から構成され、角部分がない。なお、連接部分１６には液溜め用凹部１４４が形成されていない点で上記形態と相違する。
【００２０】
それでも、本形態では、筒状嵌合部１４と拡径部１５との連接部分１６は湾曲し、角部分がない。このため、筒状嵌合部１４の内周壁１４１に塗料３０を塗布したとき、この内周壁１４１からは塗料３０が垂れてきても、そこで溜まらずに湾曲面１６０を伝って拡径部１５の方に流れていく。従って、筒状嵌合部１４や連接部分１６には塗料３０を均一に塗布することができるので、筒状嵌合部１４や連接部分１６には、塗料３０が固化した後に突起が形成されにくい。それ故、筒状嵌合部１４や連接部分１６の内径寸法を狂わすことなく、塗装を施すことができるので、塗装後も、筒状嵌合部１４に内ケース２０の上端部２１を無理なく、また隙間なく嵌めることができる。
【００２１】
【発明の効果】
以上に説明したように、本発明の流量メータ用メータケースにおいて、内周壁に塗装が施され、かつ下方位置に拡径部が連接する筒状嵌合部は、拡径部との連接部分が湾曲面で構成されていることに特徴を有する。従って、本発明によれば、筒状嵌合部に対して錆止め用などの塗料を塗布したとき、塗料が筒状嵌合部から連接部分にまで垂れてきてもそこで溜まらずに湾曲面を伝って拡径部の方に流れていく。従って、筒状嵌合部や連接部分には塗料を均一に塗布することができるので、筒状嵌合部や連接部分には、塗料が固化した後に突起が形成されない。それ故、筒状嵌合部や連接部分の内径寸法を狂わすことなく塗装を施すことができるので、塗装後も、筒状嵌合部にメータ構成部品を無理なく、また隙間なく嵌めることができる。
【図面の簡単な説明】
【図１】（ａ）は、本発明を適用した流量メータのメータケースを構成する下ケースの縦断面図、（ｂ）は、（ａ）のＡ部分を拡大して示す断面図である。
【図２】図１（ｂ）に示す形態とは別の形態の筒状嵌合部、およびその周辺部分を拡大して示す断面図である。
【図３】（ａ）、（ｂ）は、従来の流量メータにおいて、メータケースを構成する下ケースの筒状嵌合部、およびその周辺部分を拡大して示す断面図である。
【符号の説明】
１  流量メータ
２  メータケース
１０  下ケース（メータケース本体）
１４  筒状嵌合部
１５  拡径部
１６  連接部分
２０  内ケース（メータ構成部品）
３０  塗料
１６０  湾曲面
１６１  液溜め用凹部
【図１】
0003709030.tif 000002
【図２】
0003709030.tif 000003
【図３】
0003709030.tif 000004